(57)【要約】【課題】箱形プラスチックフイルム外装体を全周に沿って開封することで、収容された内容物を簡単に取り出すことを可能にする。【解決手段】箱形プラスチックフイルム外装体２の突き合わせ端シール部３に一対のノッチ６，６を設け、箱形プラスチックフイルム外装体２の本体部９の内面に仮想平行線７，７により区画される切断片形成区域１０に対応して突き合わせ端シール部３の一方の端部３ａの基端に近い位置から他方の端部３ｂの基端に近い位置まで周方向に延びる引き裂きテープ１１を配置し、箱形プラスチックフイルム外装体２の谷側折り曲げ部から本体部９の表面層に切断片形成区域１０を横切って延びる開封容易部１２を設ける。【選択図】　図１
2004136906.tif 000002
【特許請求の範囲】
【請求項１】
両端シール部と突き合わせ端シール部を本体側に折り曲げて成形される箱形プラスチックフイルム外装体と、この箱形プラスチックフイルム外装体の内部に収容された内容物とを有し、箱形プラスチックフイルム外装体の突き合わせ端シール部に一対のノッチを設け、箱形プラスチックフイルムの本体部の内面に一対のノッチに連なる仮想平行線により区画される切断片区域に対応して突き合わせ端シール部の一方の端部の基端に近い位置から他方の端部の基端に近い位置まで周方向に延びる引き裂きテープを配置し、箱形プラスチックフイルム外装体の突き合わせ端シール部の谷側折り曲げ部から本体部の表面層に切断片形成区域を横切って延びる開封容易部を設けたことを特徴とする包装体。
【請求項２】
開封容易部がミシン目であることを特徴とする請求項１に記載の包装体。
【請求項３】
開封容易部が細幅の粗面であることを特徴とする請求項１に記載の包装体。
【発明の詳細な説明】
【０００１】
【発明の属する技術分野】
本発明は、プラスチックフイルム外装体を全周に沿って開封することで収容された内容物を簡単に取り出すことを可能にする包装体に関する。
【０００２】
【従来の技術】
チューインガムは、突き合わせ端部の端縁に一対のノッチを設け、突き合わせ端部を本体側に折り曲げた箱形プラスチックフイルム外装体の内部に収容されて市販されている。
【０００３】
チューインガムを箱形プラスチックフイルム外装体から取り出すには、突き合わせ端部を箱形プラスチックフイルム外装体から起こし、突き合わせ端部の一対のノッチの部分を持って引っ張ることで突き合わせ端部にノッチを開封開始点とした引っ張り片を形成し、引っ張り片をさらに引っ張ることで箱形プラスチックフイルム外装体を引っ張り片の幅で全周に沿って開封することで行なわれる。
【０００４】
上記チューインガム包装体は、箱形プラスチックフイルム外装体を全周に沿って直線的に開封するために、箱形プラスチックフイルム外装体を形成するプラスチックフイルムを方向性プラスチックフイルムである１軸延伸プラスチックフイルムを含む構成にしている。
【０００５】
しかしながら、箱形プラスチックフイルム外装体を１軸延伸プラスチックフイルムをラミネートしたプラスチックフイルムで形成した場合、箱形プラスチックフイルム外装体を２軸延伸プラスチックフイルムをラミネートしたプラスチックフイルムで形成した場合比較して高価となるので、製品のコストダウンに限界がある。
【０００６】
両端シール部と突き合わせ端シール部を本体側に折り曲げて成形される箱形プラスチックフイルム外装体とこの箱形プラスチックフイルム外装体の内部に収容された内容物とを有し、箱形プラスチックフイルム外装体の突き合わせ端シール部に一対のノッチを設け、箱形プラスチックフイルム外装体の内面に突き合わせ端シール部の途中から周方向に突き合わせ端シール部に達しないように延びる引き裂きテープを配置した包装体は知られている（例えば、特許文献１）。
【０００７】
【特許文献１】
特開平８−９１４３０号公報（段落００１３、図１参照）
【０００８】
【発明が解決しようとする課題】
箱形プラスチックフイルム外装体に引き裂きテープを配置した包装体は、引き裂きテープを案内として箱形プラスチックフイルム包装体を全周に沿って直線的に開封できるので、箱形プラスチックフイルム外装体のプラスチックフイルムを２軸延伸プラスチックフイルムをラミネートしたプラスチックフイルムで形成でき、製品のコストダウンを図ることはできるものの、突き合わせ端シール部に引き裂きテープが位置するため、厚み段差がヒートシールの際の安定性の障害になるとともに、箱形プラスチックフイルム外装体の突き合わせ端シール部に続く本体側を破断するのに相当な力を必要とする。そのため、箱形プラスチックフイルム外装体に使用できるプラスチックフイルムは、破れやすいプラスチックフイルムに限られる。
【０００９】
本発明は、上記した点に鑑みてなされたもので、箱形プラスチックフイルム外装体を全周に沿って弱い力で簡単に開封して収容された内容物を取り出すことを可能にする包装体を提供することを目的とする。
【００１０】
【課題を解決するための手段】
本発明による包装体は、両端シール部と突き合わせ端シール部を本体側に折り曲げて成形される箱形プラスチックフイルム外装体と、この箱形プラスチックフイルム外装体の内部に収容された内容物とを有し、箱形プラスチックフイルム外装体の突き合わせ端シール部に一対のノッチを設け、箱形プラスチックフイルム外装体の本体部の内面に一対のノッチに連なる仮想平行線により区画される切断片形成区域に対応して突き合わせ端シール部の一方の端部の基端に近い位置から他方の端部の基端縁に近い位置まで周方向に延びる引き裂きテープを配置し、箱形プラスチックフイルム外装体の突き合わせ端シール部の谷側折り曲げ部から本体部の表面層に切断片形成区域を横切って延びる開封容易部を設けて構成され、箱形プラスチックフイルム外装体に使用するプラスチックフイルムに制限を受けることなく、弱い力で簡単に直線的に開封できる。
【００１１】
【発明の実施の形態】
以下本発明の実施の形態を図面につき説明する。
図１は、本発明による包装体をチューインガム包装体に適用した例を示す図である。チューインガム包装体１は、箱形プラスチックフイルム外装体２と、この箱形プラスチックフイルム外装体２の内部に収容された内容物であるチューインガム（図示せず）とを有する。
なお、箱形プラスチックフイルム外装体２に収容される内容物は、箱形プラスチックフイルム外装体２に収容される形態であれば、チューインガムに制限されない。
【００１２】
箱形プラスチックフイルム外装体２は、矩形状プラスチックラミネート包材を両端を突き合わせてシールして突き合わせ端シール部３を有する筒状体を形成し、筒状体の両端をシールして端シール部４を形成し、突き合わせ端シール部３と端シール部４，４を本体側に折り曲げることで形成される。各端シール部４は、４つの辺４ａ，４ｂ，４ｃ，４ｄを互いに内側に折り込みヒートシールすることで形成される。箱形プラスチックフイルム外装体２の端シール部４には、端シール部４を覆うように矩形状シール片５が接着される。
【００１３】
箱形プラスチックフイルム外装体２は、図１に示すように、突き合わせ端シール部３の一方の端シール部３に近い先端部８に長手方向に５ｍｍ〜１５ｍｍの間隔を置いて一対のノッチ６，６を有する。突き合わせ端シール部３は、一対のノッチ６，６を始点としてノッチ６，６に連なる仮想線７，７に沿って切断することで引っ張り片８を形成する。
【００１４】
箱形プラスチックフイルム外装体２の各ノッチ６に連なる仮想線７は、互いに平行に突き合わせ端シール部３から本体部９を通って突き合わせ端シール部３まで延びている。本体部９に延びる仮想線７，７は、箱形プラスチックフイルム外装体２の周方向に延びる切断片形成区域１０を形成する。
【００１５】
箱形プラスチックフイルム外装体２の本体部９の内面には、切断片形成区域１０に対応して、図２に示すように、突き合わせ端シール部３の一方の端部３ａの基端に近い位置から他方の端部３ｂの基端に近い位置まで突き合わせ端シール部３にかかることなく周方向に延びるように引き裂きテープ１１が接着されている。引き裂きテープ１１は、厚さが約４０ミクロンで幅が５〜１５ｍｍであり、好ましくは、切断片形成区域１０と同一中心線上に位置される。
【００１６】
箱形プラスチックフイルム外装体２の外面側に位置するプラスチックフイルム９ａ（表面層）には、図２に示すように、箱形プラスチックフイルム外装体２の突き合わせ端シール部３の谷側に位置する端部３ｂの折り曲げ部より端部側から本体部９に連なる表面層９ａに開封容易部１２が形成されている。開封容易部１２は切断片形成区域１０を横切って延びている。開封容易部１２はたとえばミシン目により形成される。なお開封容易部は広い範囲に設けているが、好ましくは突き合せ基端と引き裂きテープ端の中間に設ける。
【００１７】
箱形プラスチックフイルム外装体２を形成するプラスチックラミネート包材としては、厚さ２０ミクロンの２軸延伸ポリプロピレンフイルムと厚さ２５ミクロンの未延伸ポリプロピレンフイルムをラミネート加工したラミネートフイルムや、厚さ１２ミクロンのポリエステルフイルムと厚さ１５ミクロンのポリエチレンフイルムと厚さ７ミクロンのアルミニウム箔と厚さ２５ミクロンのポリエチレンフイルムをラミネート加工したラミネートフイルムのような破れにくい特性を有するラミネートフイルムであることが好ましい。
【００１８】
つぎに、作用を説明する。
チューインガム包装体１は、市販されている段階では、図１に示すように、箱形プラスチックフイルム外装体２の突き合わせ端部３は箱形プラスチックフイルム外装体２の本体部９の上に折り曲げられている。
【００１９】
利用者がチューインガム包装体１を破いてチューインガムを取り出すには、チューインガム包装体１の箱形プラスチックフイルム外装体２の上に折り曲げられた突き合わせ端部３を本体部９から起こし、起こした突き合わせ端部３の一対のノッチ６，６の間を持ってその部分を突き合わせ端部３の他の部分から離れる本体側の方向に引っ張る。
【００２０】
突き合わせ端部５の一対のノッチ６，６の間の部位を本体側の方向に引っ張ると、突き合わせ端部５は、一対のノッチ６，６を始点としてノッチ６，６に連なる仮想線７，７に沿って切断され、引っ張り片８を形成する。
【００２１】
引っ張り片８をさらに本体部９の方向に引っ張ると、引っ張り片８は、突き合わせ端部を本体部９の折り曲げ部まで仮想線７，７に沿って切断する。引っ張り片８が突き合わせ端部３を本体部９の折り曲げ部まで切断すると、突き合わせ端部をの切断線の先端は、突き合わせ端部３に連なる本体部９に達するが、突き合わせ端部３の折り曲げ部から本体部９の表面層９ａに、開封容易部１２が切断片形成区域１０を横切って延びるように設けられているので、突き合わせ端部３の折り曲げ部は弱い力で簡単に破れる。
【００２２】
引っ張り片８をさらに引っ張ると、突き合わせ端部３の折り曲げ部が破れているので、箱形プラスチックフイルム外装体２は、本体部９を切断片形成区域１０に沿って引き裂きテープ１１を案内として直線幅で全周に沿って開封される。そして、箱形プラスチックフイルム外装体２に収容されたチューインガムは開口部を通して取り出すことができる。
【００２３】
なお、上記実施の形態では、本体部９の開封容易部１２をミシン目９により形成したが、密封性をより確保するためには、開封容易部１２を２軸延伸ポリプロピレンフイルムにサンドペーパーを圧接することで形成される細幅の粗面（傷面）とすることが好ましい。
【００２４】
【発明の効果】
本発明による包装体は、箱形プラスチックフイルム外装体のプラスチックフイルムに制限を受けることなく、箱形プラスチックフイルム外装体を弱い力で全周に沿って直線的に開封することで箱形プラスチックフイルム外装体に収容された内容物を簡単に取り出すことができる。
【図面の簡単な説明】
【図１】本発明による包装体の斜視図。
【図２】本発明による包装体の拡大断面図。
【符号の説明】
１　チューインガム包装体
２　箱形プラスチックフイルム外装体
３　突き合わせ端シール部
６　ノッチ
７　仮想線
９　本体部
１０　切断片形成区域
１１　引き裂きテープ
１２　開封容易部
【図１】
2004136906.tif 000003
【図２】
2004136906.tif 000004